(57)【要約】【課題】気中開閉器の構造の簡素化と、コストの低減とを図る。【解決手段】支持碍子１に固定される固定板２に固定電極３と接圧バネ４とを取り付ける気中開閉器において、固定板２を良導電性を有する金属板により構成し、固定板２に、接圧バネ４の板バネ部４ｂ，４ｂを貫通させるスロット２０１を設ける。接圧バネ４は、その基底部４ａを固定板２の裏面に接触させ、接圧バネの一対の板バネ部４ｂ，４ｂを固定板２のスロット２０１を通して起立させた状態で配置する。固定電極３の底板部３ａを固定板２の表面に接触させ、その一対の起立板部３ｂ，３ｂを接圧バネ４の一対の板バネ部４ｂ，４ｂの内側に位置させて配置し、固定電極の底板部３ａと接圧バネ４の基底部４ａとをボルト８により支持碍子１に固定する。【選択図】    図１
2013196824.tif 000002
【特許請求の範囲】
【請求項１】
基底部と該基底部の両端から起立した一対の板バネ部とを有する接圧バネと、前記接圧バネの基底部の内側に配置された底板部と該底板部の両端から前記接圧バネの一対の板バネ部の内面に沿って起立した一対の起立板部と該起立板部の先端に形成された接点部とを有して前記一対の起立板部のそれぞれの先端の接点部が前記接圧バネにより互いに接近する方向に付勢された固定電極と、支持碍子と、裏面を前記支持碍子側に向けて該支持碍子の一端に配置されたた固定板とを備えて、前記接圧バネの基底部と前記固定電極の底板部とが前記固定板とともに前記支持碍子に固定された固定電極ユニットと、前記固定電極ユニットの固定電極の接点部に接離する可動電極とを備えた気中開閉器において、
前記固定板は良導電性を有する金属板からなっていて、前記接圧バネの一対の板バネ部を貫通させるスロットを有し、
前記接圧バネは前記基底部を前記固定板の裏面に接触させ、前記一対の板バネ部を前記固定板のスロットを通して起立させた状態で配置され、
前記固定電極は前記底板部を前記固定板の表面に接触させ、前記一対の起立板部を前記接圧バネの一対の板バネ部の内側に位置させた状態で配置され、
前記固定電極の底板部と前記固定板と前記接圧バネの基底部とを貫通して前記支持碍子にねじ込まれたボルトにより前記固定電極の底板部と固定板と接圧バネの基底部とが前記支持碍子に締結され、
外部に導出される端子の端子導体を接続するための端子板が前記固定板に取り付けられていること、
を特徴とする気中開閉器。
【請求項２】
前記固定板に設けられたスロットは、前記接圧バネの一対の板バネ部をそれぞれ嵌合させ得るように形成された互いに平行な一対の縦スロット部と、前記一対の縦スロット部の一方の端部間を連絡していて前記接圧バネの基底部を挿入し得るように形成された１つの横スロット部とを有するコの字形の形状を呈するように設けられ、
前記横スロット部に前記接圧バネの基底部を挿入し、前記一対の縦スロット部に前記接圧バネの一対の板バネ部の基底部寄りの端部を挿入して、前記接圧バネを前記縦スロット部に沿って移動させることにより、前記接圧バネの基底部を前記固定板の裏面に接触させ、前記一対の板バネ部を前記スロットを通して起立させた状態にし得るように構成されていること、
を特徴とする請求項１に記載の気中開閉器。
【請求項３】
前記固定板に設けられたスロットは、前記接圧バネの一対の板バネ部をそれぞれ嵌合させ得るように形成された互いに平行な一対の縦スロット部からなり、
前記一対の縦スロット部はそれぞれの一端が外部に開口した状態で設けられ、
前記一対の縦スロット部の開口部から両縦スロット内に前記接圧バネの一対の板バネ部の基底部寄りの端部を挿入して、前記接圧バネを前記縦スロット部に沿って移動させることにより、前記接圧バネの基底部を前記固定板の裏面に接触させ、前記一対の板バネ部を前記スロットを通して起立させた状態にし得るように構成されていること、
を特徴とする請求項１に記載の気中開閉器。
【発明の詳細な説明】
【技術分野】
【０００１】
本発明は、固定電極と可動電極とを備えた気中開閉器に関するものである。
【背景技術】
【０００２】
配電系統などに設けられる開閉器として、特許文献１に示されているように、可動電極が気中で固定電極に接離する（固定電極に接触したり固定電極から離れたりする）気中開閉器が用いられている。この種の開閉器は、図９ないし図１２に示されているように、固定電極ユニット１０と、可動電極１１とを備えている。固定電極ユニット１０は、支持碍子１と、裏面を支持碍子１側に向けて支持碍子１の一端に固定された固定板２と、固定板２に固定された固定電極３及び接圧バネ４と、固定電極側の外部端子を接続するための端子板５と、固定電極３と端子板５との間の導通をとる導電板６と、可動電極１１が固定電極３から開離した際に可動電極１１と固定電極３との間に生じるアークＡを消滅させる消弧機構７とを備えている。
【０００３】
固定電極３は、銅などの高い導電性を有する金属板からなっていて、底板部３ａと、底板部３ａの一端及び他端からそれぞれ起立した一対の起立板部３ｂ，３ｂと、起立板部３ｂ，３ｂの先端をそれぞれ折り返すことにより形成された接点部３ｃ，３ｃとを有している。
【０００４】
接圧バネ４は、バネ性を有する金属板からなっていて、基底部４ａと該基底部の一端及び他端からそれぞれ起立した一対の板バネ部４ｂ，４ｂと、板バネ部４ｂ，４ｂの先端を内側に折曲げることにより形成されて、先端が隙間を介して対向配置された折曲げ部４ｃ，４ｃとを有している。
【０００５】
従来の開閉器では、接圧バネ４の基底部４ａが固定板２の表面に載せた状態で配置され、接圧バネの基底部４ａの上に導電板６を介して固定電極３の底板部３ａが載せられている。固定電極の一対の起立板部３ｂ，３ｂは、接圧バネ４の一対の板バネ部４ｂ，４ｂの内面に沿って起立して、それぞれの先端が接圧バネ４の折曲げ部４ｃ，４ｃに隙間Ｇを介して対向させられている。
【０００６】
固定電極の底板部３ａと、導電板６と、接圧バネ４の基底部４ａと、固定板２とを貫通して支持碍子１にねじ込まれたボルト８により、固定電極の底板部３ａと、導電板６と、接圧バネの基底部４ａと、固定板２とが支持碍子１に締結されている。端子板５は、基板部５ａと該基板部の一端から起立した起立板部５ｂとからなるＬ字形の形状に形成されていて、基板部５ａが導電板６の端部にボルトにより締結されている。端子板５の起立板部５ｂには取付け孔５ｃが形成され、この取付け孔５ｃに、開閉器の固定電極側の外部端子を構成する図示しないブッシング端子の中心導体が挿入されて、該中心導体が端子板５に締結される。接圧バネ４の一方の板バネ部４ｂの先端に形成された折曲げ部４ｃには、可動電極１１が固定電極３の接点部３ｃ，３ｃから離れた際に両者の間に発生するアークＡの脚を移行させるためのアークホーン９が取り付けられている。
【０００７】
図示の可動電極１１は、導電板によりほぼ鎌形を呈するように形成されていて、その先端に接点部１１ａが形成されている。可動電極１１は、図示しない操作機構により操作されて、図９に示すように、その先端の接点部１１ａが接圧バネ４の一対の板バネ部４ｂ，４ｂの先端の折曲げ部４ｃ，４ｃの間の隙間を通して固定電極３の接点部３ｃ，３ｃ間に進入して両接点部に接触した状態になる閉位置と、接点部１０ａが固定電極３及び接圧バネ４から離れて、固定電極３及び接圧バネ４との間に所定の絶縁距離を隔てた状態になる開位置との間を変位させられる。
【０００８】
消弧機構７は、固定電極３及び接圧バネ４を収容する樹脂製のケース部７Ａと、ケース部７Ａに一体に設けられた消弧室７Ｂと、消弧室７Ｂの外側に配置されたアーク誘導部材７Ｃとを備えた公知のものである。消弧室７Ｂは、可動電極１１が通過する円弧状の通路７B1と、開路時に可動電極１１が固定電極３の接点部３ｃ，３ｃから離れた際に可動電極１１の接点部１１ａと固定電極３の接点部３ｃとの間に生じるアークＡを引き込む細隙７B2とを有している。アーク誘導部材７Ｃは強磁性材料により消弧室７Ｂの細隙７B2が設けられた部分を抱え込むように形成されていて、アーク電流が流れた際にその周囲に磁束を流すことにより、アークＡを細隙１１ｂ内に引込むための電磁力をアークＡに作用させる働きをする。消弧機構７は、アークＡを細隙１２ｂ内に引き込んで引き延ばすとともに、アーク熱により消弧室１２を構成する樹脂を気化させることにより発生させた消弧性のガスをアークに吹き付けてその消滅を図る。
【０００９】
この種の開閉器においては、固定電極３を銅などの導電性が高い材料により形成しているが、接圧バネ４は、高いバネ性を有することを優先して選択された金属材料からなっていて、その導電性が低いため、固定電極３と端子板５との間に低損失の主回路電流通路を形成するために、固定電極３の底板部３ａと接圧バネ４の基底部４ａとの間に良導電性の金属材料からなる導電板６を介在させて、接圧バネ４の板バネ部４ｂ，４ｂの間から引出した導電板６の端部に端子板５を取り付けるようにしていた。
【先行技術文献】
【特許文献】
【００１０】
【特許文献１】特開２０１１−６５９２５号公報
【発明の概要】
【発明が解決しようとする課題】
【００１１】
従来の気中開閉器では、固定電極３と端子板５との間に低損失の主回路電流通路を形成するために、固定電極の底板部３ａと接圧バネ４の基底部４ａとの間に導電板６を介在させる必要があったため、部品点数が多くなってコストが高くなるのを避けられなかった。
【００１２】
また従来の気中開閉器では、導電板６を固定電極ユニット１０から引出す方向が、接圧バネ４の一対の板バネ部４ｂ，４ｂの対向方向に対して直角な方向に限定されるため、固定電極側の外部端子の引出方向が限定され、開閉器の設計の自由度が低くなるという問題があった。
【００１３】
本発明の目的は、固定電極の底板部と接圧バネの基底部との間に導電板を介在させることなく固定電極と外部端子との間に主回路電流通路を構成することができるようにして、構造の簡素化とコストの低減とを図るとともに、固定電極側の外部端子の引出方向が限定されることがないようにして設計の自由度を高めることができるようにした気中開閉器を提供することにある。
【課題を解決するための手段】
【００１４】
本発明は、基底部と該基底部の両端から起立した一対の板バネ部とを有する接圧バネと、接圧バネの基底部の内側に配置された底板部と該底板部の両端から接圧バネの一対の板バネ部の内面に沿って起立した一対の起立板部と該起立板部の先端に形成された接点部とを有して一対の起立板部のそれぞれの先端の接点部が接圧バネにより互いに接近する方向に付勢された固定電極と、支持碍子と、裏面を前記支持碍子側に向けて該支持碍子の一端に配置されたた固定板とを備えて、接圧バネの基底部と固定電極の底板部とが固定板とともに支持碍子に固定された固定電極ユニットと、固定電極ユニットの固定電極の接点部に接離する可動電極とを備えた気中開閉器を対象とする。
【００１５】
本発明においては、固定板が良導電性を有する金属板からなっていて、接圧バネの板バネ部を貫通させるスロットを有している。接圧バネは、その基底部を固定板の裏面に接触させ、一対の板バネ部を固定板のスロットを通して起立させた状態で配置される。固定電極は、その底板部を固定板の表面に接触させ、その一対の起立板部を接圧バネの一対の板バネ部の内側に位置させた状態で配置され、固定電極の底板部と固定板と接圧バネの基底部とを貫通して支持碍子にねじ込まれたボルトにより固定電極の底板部と固定板と接圧バネの基底部とが支持碍子に締結される。外部に導出される端子の端子導体を接続するための端子板は、固定板に取り付けられている。
【００１６】
上記のように構成すると、固定電極の底板部を良導電体からなる固定板に直接接触させることができるため、固定電極側の外部端子を接続するための端子板を固定板に取り付けて、該固定板により、固定電極と端子板との間に低損失の主回路電流通路を構成することができる。従って、従来の開閉器において固定電極と端子板との間に主回路電流通路を構成するために設けていた導電板を省略して、部品点数の削減を図ることができる。また端子板を固定板に取り付けるようにすると、接圧バネの板バネ部の対向方向に対して直角な方向に固定電極側の外部端子の引出方向が限定されることがなくなるため、固定電極側の外部端子の引出方向を自由に設定することができる。
【００１７】
本発明の好ましい態様では、固定板に設けられたスロットが、接圧バネの一対の板バネ部をそれぞれ嵌合させ得るように形成された互いに平行な一対の縦スロット部と、一対の縦スロット部の一方の端部間を連絡していて接圧バネの基底部を挿入し得るように形成された１つの横スロット部とを有するコの字形の形状を呈するように設けられて、横スロット部に接圧バネの基底部を挿入し、一対の縦スロット部に接圧バネの一対の板バネ部の基底部寄りの端部を挿入して、接圧バネを縦スロット部に沿って移動させることにより、接圧バネの基底部を固定板の裏面に接触させ、一対の板バネ部をスロットを通して起立させた状態にし得るように構成されている。
【００１８】
上記のように構成すると、固定電極ユニットを組立てる際に、接圧バネの板バネ部の基底部寄りの部分が固定板に設けられた縦スロット内に嵌合して位置決めされた状態になるため、特に治具を用いることなく、接圧バネの位置決めを確実に行わせることができ、固定電極ユニットの組立作業を容易にすることができる。また接圧バネを拡げることなく、固定板に組み付けることができるため、組立ての際に接圧バネに無理な力が加わって接圧バネが損傷するおそれをなくすことができる。
【００１９】
本発明の他の態様では、固定板に設けられたスロットが、接圧バネの一対の板バネ部をそれぞれ嵌合させ得るように形成された互いに平行な一対の縦スロット部からなり、一対の縦スロット部はそれぞれの一端が外部に開口した状態で設けられ、一対の縦スロット部の開口部から両縦スロット内に接圧バネの一対の板バネ部の基底部寄りの端部を挿入して、接圧バネを縦スロット部に沿って移動させることにより、接圧バネの基底部を固定板の裏面に接触させ、一対の板バネ部をスロットを通して起立させた状態にし得るように構成されている。
【発明の効果】
【００２０】
本発明によれば、固定電極の底板部を良導電体からなる固定板に直接接触させることができるため、固定電極側の外部端子を接続するための端子板を固定板に取り付けて、該固定板により、固定電極と端子板との間に低損失の主回路電流通路を構成することができる。従って、従来の開閉器において固定電極と端子板との間に主回路電流通路を構成するために設けていた導電板を省略して、部品点数の削減を図ることができる。また端子板を固定板に取り付けるようにすると、固定電極側の外部端子の引出方向が、接圧バネの板バネ部の対向方向に対して直角な方向のみに限定されることがなくなるため、固定電極側の外部端子の引出方向を自由に設定することができるようにして、開閉器の設計の自由度を高くすることができる。
【図面の簡単な説明】
【００２１】
【図１】本発明に係る気中開閉器で用いる固定電極ユニットの要部の構成を、支持碍子の中心軸線を含み、固定電極の接点の対向方向に対して直交する平面に沿って断面して示した斜視図である。
【図２】図１を矢印Ｚ方向から見て示した断面図である。
【図３】本実施形態で用いる固定板の平面図である。
【図４】本実施形態に係わる開閉器の固定電極ユニットを組立てる際に行う接圧バネ組み付け工程を開始する際の状態を、固定板を断面して示した側面図である。
【図５】上記接圧バネ組み付け工程の図４に示した過程よりも更に進んだ過程を示した斜視図である。
【図６】図５に示した状態を、固定板を断面して横から見た状態を示した側面図である。
【図７】上記接圧バネ組み付け工程を行った後、固定電極を組み付ける際の状態を、固定板を断面して示した側面図である。
【図８】本発明の他の実施形態で用いる固定板の平面図である。
【図９】気中開閉器の要部の構成例を示した正面図である。
【図１０】図９に示した気中開閉器の固定電極ユニットの要部を示した側面図である。
【図１１】従来の気中開閉器で用いられていた固定電極ユニットの要部の構成を、支持碍子の中心軸線を含み、固定電極の接点の対向方向に対して直交する平面に沿って断面して示した斜視図である。
【図１２】図１１を矢印Ｚ方向から見て示した断面図である。
【発明を実施するための形態】
【００２２】
以下図面を参照して本発明の実施形態を詳細に説明する。図１ないし図７は本発明の第１の実施形態を示したものである。これらの図において、図９ないし図１２に示された従来の開閉器の各部に対応する部分には図９ないし図１２に示した符号と同一の符号を付してある。
【００２３】
図１及び図２において、１は支持碍子、２は支持碍子１の一端に固定された固定板、３は固定電極、４は接圧バネ、５は固定電極側の外部端子を接続するための端子板、７Ａは固定板２に取り付けられて内部に固定電極３及び接圧バネ４を収容した消弧機構７のケース部である。
【００２４】
固定電極３及び接圧バネ４は、従来の開閉器で用いられていたものと同様に構成されている。即ち、固定電極３は、銅などの良導電性を有する金属を折曲げ加工したものからなっていて、矩形状の底板部３ａと、底板部３ａの一端及び他端からそれぞれ起立した一対の起立板部３ｂ，３ｂと、起立板部３ｂ，３ｂの先端をそれぞれ折り返すことにより形成された接点部３ｃ，３ｃとを有している。また接圧バネ４は、バネ性を有する金属を曲げ成形したものからなっていて、基底部４ａと該基底部の一端及び他端からそれぞれ起立した一対の板バネ部４ｂ，４ｂと、板バネ部４ｂ，４ｂの先端に形成された折曲げ部４ｃ，４ｃとを有している。
【００２５】
本実施形態では，固定電極３の一対の起立板部３ｂ，３ｂが対向する方向を固定極３の横方向とし、この横方向に対して直角な方向を固定電極３の縦方向とする。同様に接圧バネ４の一対のバネ片４ｂ，４ｂが対向する方向を該接圧バネの横方向とし、この横方向に対して直角な方向を接圧バネの縦方向とする。
【００２６】
固定板２は、固定電極３及び接圧バネ４を固定するための板で、本実施形態では、この固定板２が、固定電極３を構成する導電材料と同様に高い導電性を有する金属によりほぼ矩形状を呈するに形成されている。固定板２はその機械的強度を確保するために必要にして十分な厚みを有するように形成されていて、その裏面２ａを支持碍子１側に向け、かつその裏面２ａ及び表面２ｂを支持碍子１の中心軸線と直交させた状態で配置されている。
【００２７】
固定板２については、該固定板に固定される固定電極３及び接圧バネ４の横方向に沿う方向を横方向（図３の上下方向）とし、固定電極３及び接圧バネ４の縦方向に沿う方向を縦方向（図３の左右方向）と定義する。
【００２８】
図３に示されているように、固定板２の横方向の中央部には、その縦方向の一端寄りに片寄せて、該固定板を厚み方向に貫通したスロット２０１が形成されている。図示のスロット２０１は、固定板２の縦方向（図３の左右方向）に伸びる互いに平行な一対の縦スロット部２０１ａ，２０１ａと、固定板２の縦方向の一端側（図３において左端側）で該固定板の横方向（図３の上下方向）に伸びていて、一対の縦スロット部２０１ａ，２０１ａの一方の端部間を連絡する１つの横スロット部２０１ｂとを有するコの字形の形状を呈するように設けられている。縦スロット部２０１ａ，２０１ａは、接圧バネ４の一対の板バネ部４ｂ，４ｂをそれぞれ嵌合させ得るように設けられ、横スロット部２０１ｂは、板バネ４の基底部４ａを挿入し得るように設けられている。
【００２９】
固定板２にはまた、縦スロット部２０１ａ，２０１ａの間に位置させて、該固定板２を貫通した２つのボルト挿通孔２０２，２０２が該固定板２の縦方向に並べた状態で形成されている。固定板２の縦方向の他端寄りには、一対のネジ穴２０３，２０３が形成され、固定板２の横方向の両端には、消弧機構のケース部７Ａを固定するためのネジを螺合させるネジ穴２０４が、該固定板の縦方向に間隔をあけて２個ずつ設けられている。固定電極３の底板部３ａ及び接圧バネ４の基底部４ａには、固定板２のボルト挿通孔２０２，２０２に整合するボルト挿通孔が設けられ、支持碍子１には、固定板２に設けられたボルト挿通孔２０２，２０２に整合するネジ穴１ａ，１ａが形成されている。このネジ穴１ａは、図１及び図２に示されているように絶縁碍子１に直接設けられていてもよく、絶縁碍子１に埋め込まれた埋め込み金具に設けられていてもよい。
【００３０】
接圧バネ４は、その基底部４ａを固定板２の裏面２ａに接触させ、一対の板バネ部４ｂ，４ｂを固定板２のスロット２０１の縦スロット部２０１ａ，２０１ａを通して起立させた状態で配置されている。このように接圧バネ４を固定板２に組み付ける手順を図４ないし図７に示した。接圧バネ４を固定板２に組み付ける際には、先ず図４に示すように、接圧バネ４の横方向を固定板２の横方向に合わせ、接圧バネ４の基底部４ａの縦方向の一端をスロット２０１の横スロット部２０１ｂに向けるように接圧バネ４を傾ける。この状態で、図５に示すように接圧バネ４の基底部４ａの縦方向の一端をスロット２０１の横スロット部２０１ｂ内に挿入するとともに、板バネ部４ｂ，４ｂの基部（基底部４ａ側の端部）を縦スロット部２０１ａ，２０１ａ内に挿入する。図６に示すように、接圧バネ４の基底部４ａを横スロット部２０１ｂ内を通して移動させるとともに、板バネ部４ｂ，４ｂを縦スロット部２０２ａ，２０１ａ内で移動させる。接圧バネの基底部４ａが横スロット部２０１ｂを通過したところで、図７に示すように接圧バネ４を起立させて、その基底部４ａを固定板２の裏面に接触させるとともに、板バネ部４ｂ，４ｂを縦スロット部２０１ａ，２０１ａを通して起立させた状態にする。
【００３１】
図７に示すように接圧バネ４を配置した後、同図に矢印で示した方向に固定電極３を移動させて、固定電極３を接圧バネ４の板バネ部４ｂ，４ｂの間に挿入する。これにより、固定電極の起立板部３ｂ，３ｂをそれぞれ接圧バネ４の板バネ部４ｂ，４ｂの内面に沿わせた状態にするとともに、底板部３ａを固定板２の表面２ｂに接触させる。そして、固定電極３の底板部３ａに設けられたボルト挿通孔と、固定板２に設けられたボルト挿通孔２０２，２０２と、接圧バネ４の基底部４ａに設けられたボルト挿通孔とを貫通させたボルト８，８を支持碍子１に設けられたネジ穴１ａ，１ａにねじ込むことにより、固定電極３の底板部３ａと、固定板２と、接圧バネ４の基底部４ａとを支持碍子１に締結する。
【００３２】
本実施形態では、固定板２の縦方向の他端寄りの部分（図３において右端寄りの部分）を端子板取付け部２Ａとして、この端子板取付け部に開閉器の固定電極側の外部端子を構成するブッシング端子の中心導体が接続される端子板５を取り付ける。端子板５は、基板部５ａと該基板部の一端から起立した起立板部５ｂとからなっていて、起立板部５ｂにブッシング端子の中心導体を挿入する取付け孔５ｃが形成されている。端子板５は、その基板部５ａを貫通して固定板２のネジ穴２０３にねじ込まれたボルト２０（図２参照）により固定板２に締結される。
【００３３】
上記のようにして固定電極３の底板部３ａと、固定板２と、接圧バネ４の基底部４ａとを支持碍子１に固定した後、消弧機構７のケース部７Ａを固定板２に取り付ける。ケース部７Ａは、その端部に設けられた裾部７A1（図１参照）を貫通させたボルトを固定板２に設けられたネジ穴２０４にねじ込んで締め付けることにより固定板２に固定する。
【００３４】
上記の各部により固定電極ユニット１０が構成される。図１及び図２には図示してないが、図９に示された可動電極１１と同様の可動電極が設けられ、この可動電極と固定電極ユニット１０とにより気中開閉器の主要部が構成される。
【００３５】
細隙消弧形の消弧機構７は、図９及び図１０を用いて説明した消弧室７Ｂと同様の消弧室をケース部７Ａの上部に備えていて、可動電極が固定電極３の接点部から開離した際に可動電極と固定電極３との間に発生するアークを消滅させる作用を行うが、この消弧機構の説明は省略する。
【００３６】
上記のように構成すると、固定電極３の底板部３ａを良導電体からなる固定板２に直接接触させることができるため、固定板２に端子板５を取り付けることにより、固定電極３を良導電体からなる固定板２を通して端子板５に電気的に接続することができる。従って、固定板２により、固定電極３と端子板７との間を接続する低損失の主回路電流通路を構成することができ、従来の開閉器において固定電極の底板部と接圧バネの基底部との間に介在させておく必要があった導電板を省略して、部品点数の削減とコストの低減とを図ることができる。また接圧バネ４の板バネ部４ｂ，４ｂの間から外部に引出される部分を有しない固定板２に端子板５を取り付けるので、接圧バネ４の板バネ部４ｂ，４ｂの対向方向による制約を受けることなく、固定電極側の外部端子の引出方向を自由に設定することができる。例えば、固定板２の横方向の端部に端子板取付け部２Ａを設けることにより、固定電極３の起立板部３ｂ，３ｂの対向方向に固定電極側の外部端子を引き出すこともできる。
【００３７】
また上記のように固定板２に設けるスロット２０１をコの字形に形成すると、固定電極ユニットを組立てる際に、接圧バネ４の板バネ部の基底部寄りの部分が固定板２に設けられた縦スロット２０１ａ，２０１ａ内に嵌合して位置決めされた状態になるため、特に治具を用いることなく、接圧バネ４の位置決めを図ることができ、固定電極ユニットの組立作業を容易にすることができる。また接圧バネ４の板バネ部４ｂ，４ｂを大きく拡げることなく、接圧バネ４を固定板２に組み付けることができるため、組立ての際に接圧バネに無理な力が加わって接圧バネが損傷するのを防ぐことができる。
【００３８】
上記の実施形態では、固定板２にコの字形のスロット２０１を設けたが、図８に示すように、固定板２に設けるスロットを、接圧バネの一対の板バネ部４ｂ，４ｂをそれぞれ嵌合させ得るように形成されて、一端が外部に開口した互いに平行な一対の縦スロット部２０１ａ，２０１ａにより構成することもできる。このようにスロットを設けた場合には、一対の縦スロット部２０１ａ，２０１ａの開口部から両縦スロット部内に接圧バネ４の一対の板バネ部４ｂ，４ｂの基底部４ａ寄りの端部を挿入して、接圧バネ４を縦スロット部２０１ａ，２０１ａに沿って移動させることにより、接圧バネ４の基底部４ａを固定板２の裏面２ａに接触させ、一対の板バネ部４ｂ，４ｂをスロットを通して起立させた状態にすることができる。
【００３９】
上記の実施形態では、細隙消弧型の消弧機構を備えた気中開閉器を対象としたが、細隙消弧型以外の消弧機構を備えた気中開閉器や、消弧機構を設けない気中開閉器にも本発明を適用することができる。
【産業上の利用可能性】
【００４０】
本発明は、配電系統等に数多く設置される気中開閉器の構造の簡素化とコストの低減を図ることができるため、産業上の利用可能が大である。
【符号の説明】
【００４１】
１  支持碍子
２  固定板
２０１  スロット
２０１ａ  縦スロット部
２０１ｂ  横スロット部
３  固定電極
３ａ  固定電極の底板部
３ｂ  固定電極の起立板部
４  接圧バネ
４ａ  接圧バネの基底部
４ｂ  接圧バネの板バネ部
５    端子板
７    細隙消弧型消弧機構
７Ａ  消弧機構のケース部
７Ｂ  消弧室
８    ボルト
９    アークホーン
【図１】
2013196824.tif 000003
【図２】
2013196824.tif 000004
【図３】
2013196824.tif 000005
【図４】
2013196824.tif 000006
【図５】
2013196824.tif 000007
【図６】
2013196824.tif 000008
【図７】
2013196824.tif 000009
【図８】
2013196824.tif 000010
【図９】
2013196824.tif 000011
【図１０】
2013196824.tif 000012
【図１１】
2013196824.tif 000013
【図１２】
2013196824.tif 000014